(57)【要約】【課題】簡単かつ効果的に子宮を温めることができ、冷え性が改善できるカイロを提供する。【解決手段】発熱材または蓄熱材からなるカイロ芯部を内蔵したタンポン型使い捨てカイロを、膣腔に挿入して使用することにより、簡単かつ効果的に子宮を温めることができ、冷え性を改善することができる。【選択図】図１
2020156569.tif 000002
【特許請求の範囲】
【請求項１】
膣腔に挿入して使用するタンポン型使い捨てカイロであって、
発熱材または蓄熱材からなるカイロ芯部、および該カイロ芯部の表面を被覆するカイロ被覆部を有する、円筒状のカイロ本体部を備えた、タンポン型使い捨てカイロ。
【請求項２】
前記発熱材が、化学物質の発熱反応を利用した化学発熱材である、請求項１に記載のタンポン型使い捨てカイロ。
【請求項３】
前記化学発熱材が、酢酸ナトリウム三水和物である、請求項２に記載のタンポン型使い捨てカイロ。
【請求項４】
前記蓄熱材が、パラフィン類、脂肪酸エステル類等の有機系蓄熱材、または硫酸ナトリウム水和物、塩化カルシウム水和物等の無機水和塩系蓄熱材である、請求項１に記載のタンポン型使い捨てカイロ。
【請求項５】
前記カイロ被覆部が、弾性樹脂、天然ゴム、合成ゴム等の弾性材料で形成されている、請求項１〜４のいずれかに記載のタンポン型使い捨てカイロ。
【請求項６】
前記カイロ被覆部が、レーヨン、綿、合成繊維等の親水性繊維を圧搾して形成され、よもぎエキスが含浸されている、請求項１〜４のいずれかに記載のタンポン型使い捨てカイロ。
【請求項７】
前記カイロ本体部の一方の底部に、ひも状部材が縫製されている、請求項１〜６のいずれかに記載のタンポン型使い捨てカイロ。
【発明の詳細な説明】
【技術分野】
【０００１】
本発明は、膣腔に挿入して用いる、タンポン型使い捨てカイロに関する。
【背景技術】
【０００２】
冷え性は、「普通の人が寒さを感じないくらいの温度でも、全身や手足、下半身等の体の一部が冷えてつらい症状」とされており、女性の半数から７割近くが冷えをつらいと感じているといわれている。
【０００３】
冷え性を改善するために、韓国では、古くから伝わる「よもぎ蒸し」という伝統療法が行われている。これは、よもぎを煎じた蒸気を下半身に浴びて子宮を温めることにより、血行促進、体温上昇が期待できるといわれている。しかしながら、「よもぎ蒸し」は、個人が家庭において簡単に行うことはできない。
【０００４】
また、この「よもぎ蒸し」と同様の子宮を温めることを簡単に行うために、陰部にカイロをナプキンのような状態で貼り付けて使用する商品が販売されているが、身体に装着することの不快感が大きく、また、カイロを身体表面に貼り付けても子宮を温める効果が十分には得られない。
【０００５】
また、使い捨てカイロ等の温熱源を収納した座布団（特許文献１および２）が提案されているが、温熱源を身体表面に当てても子宮を温める効果が十分に得られない。
【先行技術文献】
【特許文献】
【０００６】
【特許文献１】実用新案登録第３１２２１６１号
【特許文献２】特開２０１３−２３３４０３号公報
【発明の概要】
【発明が解決しようとする課題】
【０００７】
本発明の課題は、簡単かつ効果的に子宮を温めることができ、冷え性が改善できるカイロを提供することにある。
【課題を解決するための手段】
【０００８】
本件出願人は、発熱材または蓄熱材からなるカイロ芯部を内蔵したタンポン型使い捨てカイロを、膣腔に挿入して使用することにより、簡単かつ効果的に子宮を温めることができ、冷え性を改善することができることを見出し、本発明を成したものである。
【０００９】
本発明の要旨を以下に示す。
（１）膣腔に挿入して使用するタンポン型使い捨てカイロであって、
発熱材または蓄熱材からなるカイロ芯部、および該カイロ芯部の表面を被覆するカイロ被覆部を有する、円筒状のカイロ本体部を備えた、タンポン型使い捨てカイロ。
（２）前記発熱材が、化学物質の発熱反応を利用した化学発熱材である、（１）に記載のタンポン型使い捨てカイロ。
（３）前記化学発熱材が、酢酸ナトリウム三水和物である、（２）に記載のタンポン型使い捨てカイロ。
（４）前記蓄熱材が、パラフィン類、脂肪酸エステル類等の有機系蓄熱材、または硫酸ナトリウム水和物、塩化カルシウム水和物等の無機水和塩系蓄熱材である、（１）に記載のタンポン型使い捨てカイロ。
（５）前記カイロ被覆部が、弾性樹脂、天然ゴム、合成ゴム等の弾性材料で形成されている、（１）〜（４）のいずれかに記載のタンポン型使い捨てカイロ。
（６）前記カイロ被覆部が、レーヨン、綿、合成繊維等の親水性繊維を圧搾して形成され、よもぎエキスが含浸されている、（１）〜（４）のいずれかに記載のタンポン型使い捨てカイロ。
（７）前記カイロ本体部の一方の底部に、ひも状部材が縫製されている、（１）〜（６）のいずれかに記載のタンポン型使い捨てカイロ。
【発明の効果】
【００１０】
本発明のタンポン型使い捨てカイロ（以下、「本発明のカイロ」ともいう。）は、発熱材または蓄熱材からなるカイロ芯部を内蔵したカイロ本体部を、膣腔に挿入して使用することにより、簡単かつ効果的に子宮を温めることができ、冷え性を改善することができる。
【００１１】
さらに、本発明のカイロは、カイロ被覆部を、レーヨン、綿、合成繊維等の親水性繊維を圧搾して形成し、よもぎエキスを含浸させることにより、よもぎ蒸し効果が発揮でき、子宮をより効果的に温めることができる。
【図面の簡単な説明】
【００１２】
【図１】本発明のカイロの実施形態を示す斜視模式図である。
【図２】図１の本発明のカイロ本体部の断面模式図である。
【図３】本発明のカイロを挿入具内に納めた、膣腔に挿入前の状態の断面模式図である。
【図４】本発明のカイロを挿入具から押し出した、膣腔に挿入時の状態の断面模式図である。
【発明を実施するための形態】
【００１３】
以下、本発明のカイロについて、図面も用いながら詳細に説明するが、本発明はこれらに限定されるものではない。
【００１４】
＜本発明の主要な特徴＞
本発明のカイロの実施形態を図１〜２で示す。
本発明のカイロの主要な特徴は、発熱材または蓄熱材からなるカイロ芯部２を内蔵したカイロ本体部１を、膣腔に挿入して使用することにより、簡単かつ効果的に子宮を温めることができ、冷え性を改善することができる。
【００１５】
さらに、本発明のカイロ本体部１は、カイロ被覆部３を、レーヨン、綿、合成繊維等の親水性繊維を圧搾して形成し、よもぎエキスを含浸させることにより、よもぎ蒸し効果が発揮でき、子宮をより効果的に温めることができる。
【００１６】
＜発熱材または蓄熱材＞
本発明のカイロは、カイロ本体部１の表面温度を４０℃前後として、子宮を効果的に温める。このため、内蔵した発熱材の発熱によりカイロ本体部１の表面温度を４０℃前後としても、また、内蔵した蓄熱材に蓄熱させた熱によりカイロ本体部１の表面温度を４０℃前後としてもよい。後者の場合には、膣腔に挿入する前に、蓄熱材に熱を蓄熱する。
【００１７】
発熱材としては、化学物質の発熱反応を利用した化学発熱材を用いることができる。具体的には、酢酸ナトリウム三水和物、鉄粉、酸化カルシウム等の無水酸化物、塩化カルシウム等の無水塩、アルミニウム、亜鉛金属粉末、マグネシウム鉄化合物等を用いることができる。容積当たりの発熱量が大きく、発熱反応が比較的ゆっくりと長期に継続する発熱材を選択するのが好ましい。
【００１８】
化学発熱材の中でも、低酸素雰囲気下でも十分に発熱可能な酢酸ナトリウム三水和物（ＣＨ３ＣＯＯＮａ・３Ｈ２Ｏ）を用いるのが好ましい。酢酸ナトリウム三水和物は、何度でも繰り返し使えるエコカイロの発熱材として用いられているものであり、食品添加剤としても用いられる安全性の高い物質である。酢酸ナトリウム三水和物（融点は５８℃、融解熱は２６４Ｊ／ｇ）は融点（５８℃）以上に加熱すると溶けて溶液状に変化し、室温に戻しても過飽和のまま液状を保ち、この液体に、何らかの刺激(物理的な振動等)を加えると結晶化が始まり、その際に発熱し約４５℃くらいに温度上昇し数十分程度持続する。
【００１９】
酢酸ナトリウム三水和物を本発明のカイロ発熱材として利用するには、次のような方法を用いることができる。
１）酢酸ナトリウム三水和物の粉末を袋体に密封し、融点（５８℃）以上に加熱して、溶液状に変化させる。
２）これを室温に戻してカイロ芯部２とし、このカイロ芯部２の表面をカイロ被覆部３で被覆してカイロ本体部１を形成する。
３）本発明のカイロを使用する際には、物理的な振動を加えてカイロ芯部２を発熱させる。
【００２０】
また、酢酸ナトリウム三水和物を本発明のカイロ発熱材として利用する場合には、カイロ本体部１の表面温度が４２℃〜４５℃、持続時間が４０分程度となるように、酢酸ナトリウム三水和物の量、カイロ被覆部３の材質・厚み等を調整することが好ましい。
【００２１】
蓄熱材としては、パラフィン類、脂肪酸エステル類等の有機系蓄熱材、または硫酸ナトリウム水和物、塩化カルシウム水和物等の無機水和塩系蓄熱材等を用いることができる。容積当たりの蓄熱量が大きく、発熱が比較的ゆっくりと長期に継続する蓄熱材を選択するのが好ましい。
【００２２】
発熱材または蓄熱材の種類、使用量等を調整して、カイロ本体部１の表面温度を４０℃前後に長期に維持できるようにする。
【００２３】
＜カイロ被覆部＞
カイロ本体部１の膣腔への挿入感を不快にしないために、カイロ被覆部３の素材としては、弾性樹脂、天然ゴム、合成ゴム等のゴム材料を用いる。
【００２４】
また、カイロ被覆部３を、レーヨン、綿、合成繊維等の親水性繊維を圧搾して形成し、よもぎエキスを含浸させることにより、よもぎ蒸し効果が発揮でき、子宮をより効果的に温めることができる。
【００２５】
＜ひも状部材＞
通常のタンポンと同様に、カイロ本体部１を膣腔から容易に取り出せるように、カイロ本体部１にひも状部材４を設けるのが好ましい。ひも状部材４は、綿、ポリエチレンテレフタレート（ＰＥＴ）、ポリエチレン（ＰＥ）、レーヨンの単体または複合繊維で形成される。
【００２６】
＜挿入具＞
通常のタンポンと同様に、カイロ本体部１を膣腔に容易に挿入できるように、外筒５ａおよび内筒５ｂからなる挿入具５を用いることができる。
【００２７】
図３は、本発明のカイロを挿入具５内に納めた、膣腔に挿入前の状態を示し、図４は、本発明のカイロを挿入具５から押し出した、膣腔に挿入時の状態を示している。
【００２８】
図３に示すように、外筒５ａの先端部には先端開口部５ｃが設けられているとともに外筒５ａ内側にはカイロ本体部１が収納されており、さらに外筒５ａの後端部側には、カイロ本体部１を図４に示すように、外筒５ａの先端開口部５ｃから外部へ押し出すための内筒５ｂが摺動可能に挿入されている。
【符号の説明】
【００２９】
１        （円筒状の）カイロ本体部
２        （発熱材または蓄熱材からなる）カイロ芯部
３        （カイロ芯部の表面を被覆する）カイロ被覆部
４        ひも状部材
５        挿入具
５ａ      外筒
５ｂ      内筒
５ｃ      先端開口部
【図１】
2020156569.tif 000003
【図２】
2020156569.tif 000004
【図３】
2020156569.tif 000005
【図４】
2020156569.tif 000006